(57)【要約】【課題】浴室の排水部の内部の汚れの状態を確認しやすく、また掃除も容易な排水部構造を提供すること。【解決手段】浴室の洗い場または浴槽に配備される排水部構造１であって、浴室の底部に設けられた排水部２と、排水部に着脱自在に配設される閉鎖部材３と、排水部の内部を光で照らす照明装置４と、排水部への閉鎖部材の着脱状態を検知する検知センサー５と、照明装置の点灯を制御する点灯制御部６とを備え、検知センサーが、閉鎖部材が排水部から離脱状態であることを検知した時、点灯制御部による制御によって照明装置が点灯して排水部の内部が光で照らされる。【選択図】図１
2016035138.tif 000002
【特許請求の範囲】
【請求項１】
浴室の洗い場または浴槽に配備される排水部構造であって、
浴室の底部に設けられた排水部と、
前記排水部に着脱自在に配設される閉鎖部材と、
前記排水部の内部を光で照らす照明装置と、
前記排水部への前記閉鎖部材の着脱状態を検知する検知センサーと、
前記照明装置の点灯を制御する点灯制御部と、
を備え、前記検知センサーが、前記閉鎖部材が前記排水部から離脱状態であることを検知した時、前記点灯制御部による制御によって前記照明装置が点灯して前記排水部の内部が光で照らされることを特徴とする排水部構造。
【請求項２】
前記排水部は、前記洗い場に設けられており、前記照明装置は、前記浴槽の外側面に設けられていることを特徴とする請求項１に記載の排水部構造。
【請求項３】
前記照明装置は、前記排水部の底面付近および内側面付近のうちの少なくともいずれかに配設されていることを特徴とする請求項１に記載の排水部構造。
【発明の詳細な説明】
【技術分野】
【０００１】
本発明は、排水部構造に関する。より詳しくは、浴室の洗い場または浴槽に配備される排水部構造に関する。
【背景技術】
【０００２】
特許文献１には、浴槽や洗い場への給水、給湯用の水栓器具が近接する側壁に、所望幅の凹部を設け、この凹部内に照明器具を配置し、凹部の開放部を透光体で閉口した浴室の照明装置が記載されている。また、特許文献１には、この照明装置は、浴室の点検空間を明るい状態に維持し、給水管、給湯管および、浴槽からの排水管の点検、補修を懐中電灯などを利用せずに行うことができることが記載されている。
【先行技術文献】
【特許文献】
【０００３】
【特許文献１】実開平3−125153号公報
【発明の概要】
【発明が解決しようとする課題】
【０００４】
しかしながら、特許文献１の照明装置は、浴槽や洗い場に設けられた水栓器具付近を全体的に照らすものであり、浴室の洗い場の排水部や浴槽の排水部の内部を十分に照らすことは難しい。洗い場や浴槽の排水部は、汚れが溜まりやすく、頻繁に掃除が行われる箇所であるため、汚れの状態を確認しやすく、また掃除を容易に行うことができる構造が望まれている。
【０００５】
本発明は、以上のとおりの事情に鑑みてなされたものであり、浴室の排水部の内部の汚れの状態を確認しやすく、また掃除も容易な排水部構造を提供することを課題としている。
【課題を解決するための手段】
【０００６】
上記の課題を解決するために、本発明の排水部構造は、浴室の洗い場または浴槽に配備される排水部構造であって、
浴室の底部に設けられた排水部と、
前記排水部に着脱自在に配設される閉鎖部材と、
前記排水部の内部を光で照らす照明装置と、
前記排水部への前記閉鎖部材の着脱状態を検知する検知センサーと、
前記照明装置の点灯を制御する点灯制御部と、
を備え、前記検知センサーが、前記閉鎖部材が前記排水部から離脱状態であることを検知した時、前記点灯制御部による制御によって前記照明装置が点灯して前記排水部の内部が光で照らされることを特徴としている。
【発明の効果】
【０００７】
本発明の排水部構造によれば、排水部の内部の汚れの状態を確認しやすく、また掃除も容易である。
【図面の簡単な説明】
【０００８】
【図１】本発明の排水部構造の第１実施形態を例示した概要断面図である。（Ａ）は、蓋が排水部に装着されている状態を例示しており、（Ｂ）は、蓋が排水部から離脱した状態を例示している。
【図２】本発明の排水部構造の第１実施形態において、排水受け部の底面に設けられた第１の照明装置を離脱させた状態を例示した概要断面図である。
【図３】本発明の排水部構造の第２実施形態を例示した概要断面図である。（Ａ）は、ポップアップ排水栓が排水部に装着されている状態を例示しており、（Ｂ）は、ポップアップ排水栓が排水部から離脱した状態を例示している。
【図４】本発明の排水部構造の第３実施形態を例示した概要断面図である。
【発明を実施するための形態】
【０００９】
図１は、本発明の排水部構造の第１実施形態を例示した概要断面図である。図１（Ａ）は、蓋が排水部に装着されている状態を例示しており、図１（Ｂ）は、蓋が排水部から離脱した状態を例示している。
【００１０】
この実施形態の排水部構造１は、浴室の洗い場に配備される形態を例示している。
【００１１】
排水部構造１は、排水部２と、閉鎖部材３と、照明装置４と、検知センサー５と、点灯制御部６とを備えている。
【００１２】
排水部２は、浴室の洗い場の底面Ｍ１に設けられている。具体的には、排水部２は、洗い場の底面Ｍ１から下側に凹む凹部２１と、この凹部２１の下側に接続する排水受け部２２とを有している。
【００１３】
凹部２１は、第１の段部２１１と第２の段部２１２とが連続して形成されている。具体的には、第１の段部２１１は、洗い場の底面Ｍ１から下向きに延びる第１の垂下壁２１１aと、この第１の垂下壁２１１aの下端から内側に延びる第１の水平面２１１bを有している。また、第２の段部２１２は、第１の水平面２１１bの内側端部から下向きに延びる第２の垂下壁２１２aと、この第２の垂下壁２１２aの下端部から内側に延びる第２の水平面２１２bを有している。第１の段部２１１および第２の段部２１２の内側には、洗い場の排水用開口Ｓが形成されている。
【００１４】
図１（Ａ）に例示したように、閉鎖部材３としての蓋３１が排水部２に装着されている場合、蓋３１は、第１の段部２１１の第１の垂下壁２１１aの内側に形成される空間に嵌め込まれ、第１の水平面２１１bの上に載置される。
【００１５】
排水受け部２２は、排水用開口Ｓのほぼ直下に位置する有底状の略円筒体である。排水受け部２２は、乳白色の材料や透明材料などの透光性を有する材料であることが好ましい。具体的には、排水受け部２２は、内部に排水空間が形成された受け部本体２２１と、受け部本体２２１の上端付近に設けられた接続部２２２と、受け部本体２２１の下側から側方に延びて下水配管などに接続する排水流路２２３とを有している。接続部２２２は、第２の段部２１２の第２の水平面２１２bの裏面側に当接する支持端部２２２aと、支持端部２２２aの内側付近に位置する内周面に設けられた第１嵌合部２２２bとを有している。
【００１６】
第２の段部２１２の第２の垂下壁２１２aの内側付近には、取付部材７が配設されている。取付部材７は、第２の垂下壁２１２aに当接する上端当接部７１と、上端当接部７１から内側に延びる屈曲部７２と、この屈曲部７２から下方に延びる取付部７３とを有している。取付部７３の外面には、第２嵌合部７３aが形成されており、この第２嵌合部７３aと排水受け部２２の受け部本体２２１に設けられた第１嵌合部２２２bとが嵌合することで、取付部材７と排水受け部２２とが接合している。また、取付部材７の上端当接部７１の内側には接続溝７１aが形成されている。
【００１７】
補助部材８は、排水受け部２２よりも外径が小さい円筒壁８１と、この円筒壁８１の上端部から外側に延びる挿入端部８２とを有している。挿入端部８２は、取付部材７の上端当接部７１の内側に形成された接続溝７１aの内部に挿入されているため、補助部材８と取付部材７とが安定的に接合している。補助部材８が配設されることで、洗い場の排水用開口Ｓから導入された湯水は、補助部材８の円筒壁８１の内側に沿って流入し、排水受け部２２へと流れ込む。排水部構造１は、補助部材８を備えることで、湯水を整流することができるため、安定して排水流路２２３へ排水することができる。また、補助部材８を備えることで、封水を安定して溜めることができ、下水からの臭気が浴室へ侵入するのを抑制することができる。
【００１８】
照明装置４は、排水受け部２２の底面の裏面側に設けられた第１の照明装置４１と、排水受け部２２の側面の裏面側に設けられた第２の照明装置４２を有している。この実施形態における照明装置４は、光源４aとカバー部材４ｂとを備えているが、具体的な構成は特に限定されず、例えば、公知のＬＥＤ照明などを適宜使用することができる。
【００１９】
検知センサー５は、排水部２への蓋３１の着脱状態を検知する。検知センサー５の具体的な構成は特に限定されず、適宜設計することができる。この実施形態においては、検知センサー５として、マグネットスイッチなどとも呼ばれる電磁開閉器を例示している。具体的には、検知センサー５（電磁開閉器）は、蓋３１の外周縁の裏面側に設けられた接触部５１と、この接触部５１の配設位置に対応する第１の段部２１１の第１の水平面２１１bに設けられたスイッチ部５２とを有している。
【００２０】
図１（Ａ）に例示したように、蓋３１が排水部２に装着されている状態では、蓋３１の裏面側に設けられた接触部５１と、第１の水平面２１１bに設けられたスイッチ部５２とが接触している。
【００２１】
点灯制御部６は、照明装置４の点灯を制御する。点灯制御部６は、検知センサー５のスイッチ部、第１の照明装置４１および第２の照明装置４２のそれぞれと接続している。
【００２２】
図１（Ｂ）に例示したように、蓋３１が排水部２から離脱状態になると、浴室の排水部構造では、検知センサー５のスイッチ部５２と接触部５１との接触が解除される。このため、検知センサー５によって蓋３１が排水部２から離脱状態であることが検知され、スイッチ部５２からの信号が点灯制御部６に伝達される。そして、点灯制御部６による制御によって、信号が第１の照明装置４１および第２の照明装置４２へと伝達され、第１の照明装置４１および第２の照明装置４２が点灯し、排水部２（排水受け部２２）の内部が光で照らされる。このため、浴室の使用者は、排水部２の蓋３１を外すことで、第１の照明装置４１および第２の照明装置４２によって排水部２（排水受け部２２）の内部が光で照らされるため、汚れの状態を確認しやすく、また掃除も容易に行うことができる。
また、この実施形態の排水部構造１では、排水部２の底面に第１の照明装置４１が設けられており、排水部２の内側面に第２の照明装置４２が設けられているため、排水部２の内部が、下方および側方から確実に光で照らされる。このため、汚れの状態を確認しやすく、掃除も容易に行うことができる。
【００２３】
図２は、本発明の排水部構造の第１実施形態において、排水受け部の底面に設けられた第１の照明装置を離脱させた状態を例示した概要断面図である。
【００２４】
図２に例示したように、排水部構造１は、第１の照明装置４１を含む排水受け部２２の底面の取外し部２３を別体として着脱自在に形成することができる。この場合、第１の照明装置４１のメンテナンスを容易に行うことができる。
【００２５】
また、図示していないが、第２の照明装置４２を含む排水受け部２２の側面の一部についても同様に、排水受け部２２全体とは別体として着脱自在に形成することができる。この場合、第２の照明装置４２のメンテナンスを容易に行うことができる。
【００２６】
図３は、本発明の排水部構造の第２実施形態を例示した概要断面図である。図３（Ａ）は、ポップアップ排水栓が排水部に装着されている状態を例示しており、図３（Ｂ）は、ポップアップ排水栓が排水部から離脱した状態を例示している。第１実施形態と共通する部分には同一の符号を付し、以下では説明の一部を省略する。
【００２７】
この実施形態の排水部構造１は、浴室の浴槽に配備される形態を例示している。
【００２８】
排水部２は、浴槽の底面Ｍ２に設けられている。具体的には、排水部２は、浴槽の底面Ｍ２から一段下がって形成された第３の段部２２４の内側に配設された取付部材７と、取付部材７の内側（中央側）に位置する支持部９と、取付部材７の下側に接続する排水受け部２２とを有している。取付部材７の第２嵌合部７３aと、排水受け部２２の接続部２２２の第１嵌合部２２２ｂとが嵌合することによって、取付部材７と排水受け部２２が接続されている。
【００２９】
閉鎖部材３として、浴槽の底面Ｍ２の排水用開口Ｓを塞ぐポップアップ排水栓３２が配設されている。ポップアップ排水栓３２は、中央付近に下方に突出する爪部３２aを有し、この爪部３２aの内側に位置するポップアップ排水栓３２の裏面に、検知センサー５の接触部５１が配設されている。
【００３０】
また、排水部２の周囲の取付部材７の内側（中央側）には、排水孔Ｈを複数有する排水板７４が配設されており、排水板７４の中央には、ポップアップ排水栓３２を下方から支持する支持部９が設けられている。また、支持部９の下端部は、排水流路２２３側へ延びるポップアップワイヤーＷと接続しており、支持部９の上端部には、検知センサー５のスイッチ部５２が配設されている。また、スイッチ部５２の外周囲には切欠部９１が形成されている。
【００３１】
図３（Ａ）に例示したように、閉鎖部材３としてのポップアップ排水栓３２が、排水部２の支持部９に装着された状態では、ポップアップ排水栓３２の爪部３２aがスイッチ部５２の切欠部９１に挿入されており、支持部９が外周囲から覆われている。そして、ポップアップ排水栓３２が排水部２の支持部９に装着された状態では、支持部９のスイッチ部５２とポップアップ排水栓３２の接触部５１とが接触している。
【００３２】
点灯制御部６は、支持部９に設けられた検知センサー５のスイッチ部５２、第１の照明装置４１および第２の照明装置４２のそれぞれと接続している。
【００３３】
図３（Ｂ）に例示したように、排水部構造１では、ポップアップ排水栓３２が引き抜かれて排水部２から離脱状態になると、検知センサー５のスイッチ部５２と接触部５１との接触が解除される。このため、検知センサー５によってポップアップ排水栓３２が排水部２から離脱状態であることが検知され、スイッチ部５２からの信号が点灯制御部６に伝達される。そして、点灯制御部６による制御によって、信号が第１の照明装置４１および第２の照明装置４２へと伝達され、第１の照明装置４１および第２の照明装置４２が点灯し、排水部２（排水受け部２２）の内部が光で照らされる。このため、浴室の使用者は、排水部２のポップアップ排水栓３２を引き抜くことで、第１の照明装置４１および第２の照明装置４２によって排水部２（排水受け部２２）の内部が光で照らされるため、汚れの状態を確認しやすく、また掃除も容易に行うことができる。
【００３４】
さらに、この実施形態の排水部構造１では、例えば、ポップアップワイヤーＷ、点灯制御部６および給湯器（図示していない）とを接続して連動させることができる。具体的には、例えば、ポップアップ排水栓３２が開いた状態のまま給湯器からの浴槽への自動湯張りを開始した場合に、点灯制御部６によって第１の照明装置４１および第２の照明装置４２からの光により排水部２付近を点滅させることができる。このように排水部２付近を点滅させることで、使用者に対して、ポップアップ排水栓３２が開いた状態であることを報知することができる。
【００３５】
図４は、本発明の排水部構造の第３実施形態を例示した概要断面図である。第１実施形態と共通する部分には同一の符号を付し、以下では説明の一部を省略する。
【００３６】
この実施形態においては、照明装置４としての第３の照明装置４３は、洗い場Ｅに隣接する浴槽Ｆの外側面Ｆ１（エプロン部）に設けられており、点灯制御部６と接続している。
【００３７】
図４に例示したように、蓋３１が排水部２から離脱状態になると、排水部構造１では、検知センサー５のスイッチ部５２と接触部５１との接触が解除される。このため、検知センサー５によって蓋３１が排水部２から離脱状態であることが検知され、スイッチ部５２からの信号が点灯制御部６に伝達される。そして、点灯制御部６による制御によって、信号が第３の照明装置４３へと伝達され、第３の照明装置４３が点灯し、排水部２（排水受け部２２）の内部が斜め上方から光で照らされる。このため、浴室の使用者は、排水部２の蓋３１を開くことで、第３の照明装置４３によって排水部２（排水受け部２２）の内部が光で照らされるため、汚れの状態を確認しやすく、また掃除も容易に行うことができる。
【００３８】
本発明の排水部構造１は、浴室の洗い場または浴槽に配備されるものであり、以下の構成を有している。
【００３９】
浴室の底部に設けられた排水部２。前記排水部２に着脱自在に配設される閉鎖部材３。前記排水部２の内部を光で照らす照明装置４。前記排水部２への前記閉鎖部材３の着脱状態を検知する検知センサー５。前記照明装置４の点灯を制御する点灯制御部６。
【００４０】
そして検知センサー５が、閉鎖部材３が排水部２から離脱状態であることを検知した時、点灯制御部６による制御によって照明装置４が点灯して排水部２の内部が光で照らされる。
【００４１】
このため、排水部２の内部の汚れの状態を確認しやすく、また掃除も容易である。
【００４２】
本発明の浴室の排水部構造は、以上の実施形態に限定されることはない。例えば、照明装置は、排水部の底面および内側面のうちの少なくともいずれかに配設することができる。すなわち、照明装置は、排水部の底面および内側面のうちの１箇所以上の任意の位置に配設することができる。また、検知センサーは、例えば、スイッチ部が外部から圧力を検知するプッシュ式の形態などであってもよい。
【符号の説明】
【００４３】
１  排水部構造
２  排水部
３  閉鎖部材
４  照明装置
５  検知センサー
６  点灯制御部
【図１】
2016035138.tif 000003
【図２】
2016035138.tif 000004
【図３】
2016035138.tif 000005
【図４】
2016035138.tif 000006